(57)【特許請求の範囲】
【請求項１】
浴槽湯を浴槽と清浄化機構の間を循環させるための電動ポンプと、
前記浴槽湯を導入し深夜電力により所定の時間に該浴槽湯を加熱して蓄えるための手段と、
浴槽湯の温度を検出する湯温センサと、
該湯温センサにより検出された湯温が所定値以下か否か判断する手段と、
前記電動ポンプのスイッチがオンであり、前記判断する手段が湯温が所定値以下と判断した時、前記蓄えるための手段からの加熱された蓄湯を浴槽湯に供給するための手段と、
前記所定の時間において、前記電動ポンプを深夜電力により駆動させるための手段と、
前記電動ポンプのスイッチがオンでなく、及び／又は前記判断する手段が所定値以下と判断しておらず、且つ前記供給するための手段がオンであることを検出する手段と、
該検出する手段による検出があった時、前記電動ポンプを強制停止する手段と、
を備えたことを特徴とする深夜電力を利用した浴槽湯清浄化装置。
【発明の詳細な説明】
【０００１】
【発明の属する技術分野】
この発明は深夜電力を利用した浴槽湯浄化装置に関する。
【０００２】
【従来の技術】
浴槽の湯を電動ポンプにより汲み上げて所定の浄化機構に通した上で、再び浴槽に戻す行程を繰り返して、浴槽の湯を絶えず清浄に保つ浴槽湯浄化装置が近年広く普及している。
このような浴槽湯浄化装置においては、循環ポンプにより浴槽湯を強制的に循環させ、活性炭等によるろ過やオゾン等による殺菌を行うと同時に電気ヒータにより所定の温度を保つようになっているのが普通である。
【０００３】
【発明が解決しようとする課題】
しかし上記した従来の浄化装置では、湯を適温に保つために電気ヒータにより常に加熱を行っている必要があり、ランニングコストが高価になる問題があった。また、電動ポンプは２４時間稼働しているため、そのための電気代によってもランニングコストが高くなる問題があった。
本発明はこのような従来技術の問題点を解決することを目的とする。
【０００４】
【課題を解決するための手段】
上記目的を達成するために本発明の浴槽湯清浄化装置は、浴槽湯を浴槽と清浄化機構の間を循環させるための電動ポンプと、前記浴槽湯を導入し深夜電力により所定の時間に該浴槽湯を加熱して蓄えるための手段と、浴槽湯の温度を検出する湯温センサと、該湯温センサにより検出された湯温が所定値以下か否か判断する手段と、前記電動ポンプのスイッチがオンであり、前記判断する手段が湯温が所定値以下と判断した時、前記蓄えるための手段からの加熱された蓄湯を浴槽湯に供給するための手段と、前記所定の時間において、前記電動ポンプを深夜電力により駆動させるための手段と、前記電動ポンプのスイッチがオンでなく、及び／又は前記判断する手段が所定値以下と判断しておらず、且つ前記供給するための手段がオンであることを検出する手段と、該検出する手段による検出があった時、前記電動ポンプを強制停止する手段と、を備えたことを特徴とする。
【０００５】
【発明の実施の形態】
以下本発明の実施の形態を図面に基づいて説明する。
図１において、この浴槽湯浄化装置は、浄化装置Ａと深夜電力蓄熱装置Ｂから構成されている。浴槽１の湯はポンプ２により汲み上げられ、濾過タンク３に送られ、ここで濾過された上、殺菌装置４で殺菌され、浴槽１に戻されるようになっている。
ポンプ２、濾過タンク３、殺菌装置７、の配置は変更可能であり、また他の装置等を付加することも可能である。
浴槽１の出口近くの循環路には湯温センサ８が設けられており、浴槽湯の温度を検出するようになっている。
【０００６】
濾過タンク３からの浴槽湯は、深夜電力蓄熱装置Ｂの蓄熱槽１０にも供給され、ここで深夜電力により加熱され、蓄積されるようになっている。蓄積された蓄熱槽１０の熱水は電磁弁７の開閉により循環する浴槽湯に混合されて、浴槽湯の加熱を行うようになっている。電磁弁７の開閉は制御回路６により制御され、湯温センサ８により検出した浴槽湯温度が、設定温度よりも低い場合や、加熱或いは追焚きの操作があった場合に、制御回路６は電磁弁７を開として、熱水を浴槽湯に混合するようになっている。
【０００７】
ポンプ２は通常は従量電灯電源により駆動されており、深夜電力の時間帯にのみ電源切替スイッチ５により電源が切り替わり、深夜電力により運転されるようになっている。
この構成によりポンプ２を駆動するための、電気代を低減できる。
なお、深夜電力の契約の形態には、１ｗａｙ方式と２ｗａｙ方式とがあり、２ｗａｙ方式の場合にのみ、ポンプ２駆動の電気代の低減効果がある。
【０００８】
蓄熱槽１０は、断熱性が高く、内部に貯めた高温の湯の温度を保持したまま蓄えるようになっている。蓄熱槽１０にはヒータ１３が備えられており、深夜の所定時間にタイムスイッチ１２がオンとなって、料金の安い深夜電力を用いて、蓄熱槽１０内部の湯を加熱するようになっている。そして、翌日の朝の所定時間にタイムスイッチ１２がオフとなり、ヒータ１３による加熱を停止するようになっている。
濾過タンク３からの配管は蓄熱槽１０の底部に接続されており、温度の低い浴槽湯は蓄熱槽１０の下側に溜まり、ヒータ１３で加熱された高温の湯は蓄熱槽１０の上側に溜まるようになっている。
蓄熱槽１０には制御回路１１が設けられており、蓄熱槽１０の制御を行うと同時に、浄化装置Ａ側の電源切替スイッチ５の制御を行い、タイムスイッチ１２がオンとなる深夜時間帯に深夜電力によるポンプ２の運転を行わせるようになっている。
【０００９】
図２に制御回路１１及び電源切替スイッチ５の一実施例を示す。
タイムスイッチ１２は深夜電力源に接続すると共に、スイッチ１８を介してヒータ１３に接続し、深夜時間帯に蓄熱槽１０内の浴槽湯を加熱するようになっている。タイムスイッチ１２は所定の深夜時間帯になると、オンとなり電源を供給し、深夜時間帯が終了するとオフとなり電源供給を停止するようになっている。
タイムスイッチ１２の出力側にトランスＴ１と電源回路２０を介してリレー１９が接続され、タイムスイッチ１２がオンになると、電源切替スイッチ５を切り換えるようになっている。電源切替スイッチ５は従量電灯電源とタイムスイッチ１２とに接続し、その切り換えによりポンプ２を選択的にどちらかに接続するようになっている。
【００１０】
電源回路２０の出力側は基準値設定スイッチ１６に接続し、基準値設定スイッチ１６で選択した抵抗値に対応した基準値と、サーミスタ１４で検出された温度とが比較器１５により比較され、その結果リレー１７が付勢又は消勢されてスイッチ１８がオンオフするようになっている。サーミスタ１４は蓄熱槽１０内の湯の温度を検出し、該温度が所定値よりも高い場合には、スイッチ１８をオフとして、ヒータ１３による加熱を行わないようになっている。
以上の構成により深夜時間帯で且つ蓄熱槽１０の湯の温度が所定値以下の時に、ヒータ１３による加熱が深夜電力により行われ、またポンプ２の駆動も深夜電力に切り替わる。そのため、ポンプ２の運転に要する電気代を低減できる。
【００１１】
図３に制御回路６の一実施例を示す。
使用者が運転スイッチ４０を押すと、フリップフロップＦＦが反転してゲートＧ３を開き、トランジスタＴＲ２２をオンとし、リレー２２を付勢して図２に示すスイッチ２１をオンとしてポンプ２を駆動する。
また、使用者が温度設定スイッチ３０を押すと、カウンタ３１により回数がカウントされ、これが浴槽湯の設定温度としてレジスタ３２に記憶されると同時に、表示パネル４１に設定温度が表示されるようになっている。この設定温度は比較器３３において、湯温センサ８で検出され、増幅器３４及びＡ／Ｄ変換器３５を介して比較器３３に入力された浴槽湯の検出温度と比較され、検出温度が設定温度より低い場合には、ゲートＧ２がオンとなり、ゲートＧ３を通じてトランジスタＴＲ３３をオンとして、リレー３６を付勢し、スイッチ３７をオンとして前記した電磁弁７を開いて、蓄熱槽１０の熱水を浴槽湯に混合して、加熱を行うようになっている。
【００１２】
なお、比較器３３における比較の結果浴槽湯の温度が所定以上（この例では５０℃）の時は、温度が高すぎるため、ＯＲゲートＧ１を介してフリップフロップＦＦをリセットし、リレー２２を消勢してポンプ２を停止するようになっている。
また、ゲートＧ３がオフにも関わらず、スイッチ３７がオンになると、何らかの故障と判断し、フォトカプラ５０によりこれを検出して、ゲートＧ４とＯＲゲートＧ１を介して同様にポンプ２をオフとするようになっている。
以上のようにポンプ２が強制停止される時、エンコーダ５１を介して送信器５２により信号が送られるようになっている。５３は発振器である。またこの送信は転倒センサ５４によりこの装置の転倒が検出されるた時も行われるようになっている。
なお、４５は電源回路である。
【００１３】
以上説明した実施形態によれば、浴槽１の浴槽湯の温度は、蓄熱槽１０からの高温の湯の供給により所定の温度に維持される。また蓄熱槽１０における加熱は料金の安い深夜電力で行われるから、加熱に掛かる費用を低減できる。また、深夜電力時間帯にはポンプ２の運転も深夜電力により行われるから、ポンプ２の運転に要する電気代も低減できる。またゲートＧ３がオフにも関わらず、スイッチ３７がオンになると、何らかの故障と判断し、ポンプ２を強制停止するため、意図しない時に高温の湯が供給されることがなく、安全である。
【００１４】
【発明の効果】
以上説明したように本発明の深夜電力を利用した浴槽湯浄化装置によれば、加熱及び湯の循環を深夜電力を利用して行うため、加熱に要する電気代と湯を循環させるための電動ポンプの電気代を低減でき、ランニングコストを下げることが可能になる。また意図しない時に高温の湯が供給されることがなく、安全度を高めることが可能である。
【図面の簡単な説明】
【図１】本発明の一実施形態を示す概略図。
【図２】本発明の一実施形態における制御回路１１及びその周辺の構成を示すブロック図。
【図３】本発明の一実施形態における制御回路６及びその周辺の構成を示すブロック図。
【符号の説明】
１：浴槽、２：ポンプ、３：濾過タンク、４：殺菌装置、５：電源切替スイッチ、６：制御回路、７：電磁弁、８：湯温センサ、１０：蓄熱槽、１１：制御回路、１２：タイムスイッチ、１３：ヒータ、１４：サーミスタ、１５：比較器、１６：基準値設定スイッチ、１７：リレー、１８：スイッチ、１９：リレー、２０：電源回路、２１：スイッチ、２２：リレー、３０：温度設定スイッチ、３１：カウンタ、３２：レジスタ、３３：比較器、３４：増幅器、３５：Ａ／Ｄ変換器、３６：リレー、３７：スイッチ、４０：運転スイッチ、４１：表示パネル、４２：表示切替スイッチ、４５：電源回路、５０：フォトカプラ、５１：エンコーダ、５２：送信器、５３：発振器、５４：転倒センサ。
【図１】
0003708626.tif 000002
【図２】
0003708626.tif 000003
【図３】
0003708626.tif 000004